(57)【要約】【課題】撮像被写体とは独立別個の任意の集音対象に集音の指向性を設定可能にする。【解決手段】ＣＰＵ１１０は、十字キー２ｂの上下左右キーが押下されると（Ｓ７で“Ｙ”）、これに応じて集音カーソルＣＳを集音方向調整画面１９ａ内で上下左右に移動表示する。さらに、ＣＰＵ１１０は、十字キー２ｂの上下左右キーの押下に応じ、マイク１０５−１、１０５−２の集音方向を上下左右に段階的にあるいは連続的に変化させる制御信号を音声制御部１１２に送る。音声制御部１１２は、この制御信号を受け付けると、指向性制御モーター１１３及びＶＣＡ１０６−１、１０６−２を制御してマイク１０５−１、１０５−２の集音方向を調整する（Ｓ８）。【選択図】  図４
2006287735.tif 000002
【特許請求の範囲】
【請求項１】
被写体像を光電変換して被写体の動画像を得る撮像部と、
音声を集音する集音部と、
前記動画像と前記音声とを同期して記録する記録部と、
前記集音部の集音方向を調整する集音方向調整部と、
前記集音方向の調整指示を入力する操作部と、
前記集音方向の調整指示に応じて前記集音方向を調整するよう前記集音方向調整部を制御する集音制御部と、
を備えた画像音声記録装置。
【請求項２】
前記被写体の合焦位置を決定する合焦位置決定部と、
前記集音方向を示す映像及び前記被写体の合焦位置を示す映像を生成する映像生成回路と、
前記被写体の動画像に前記集音方向を示す映像を合成して表示する第１の表示部と、
前記被写体の動画像に前記被写体の合焦位置を示す映像を合成して表示する第２の表示部と、
をさらに備えた請求項１に記載の画像音声記録装置。
【請求項３】
前記集音方向の調整指示に応じて前記集音方向を示す映像を移動表示させる表示制御部をさらに備えた請求項２に記載の画像音声記録装置。
【請求項４】
前記表示制御部は前記被写体の合焦位置の近傍に前記集音方向を示す映像が移動した場合に前記集音方向を示す映像を前記被写体の合焦位置に移動させる請求項３に記載の画像音声記録装置。
【請求項５】
前記集音制御部は前記集音方向が前記被写体の合焦位置に適合するよう前記集音方向調整部を制御する請求項４に記載の画像音声記録装置。
【請求項６】
前記集音方向を示す映像を生成する映像生成回路と、
前記被写体の動画像に前記集音方向を示す映像を合成した第１画面を表示する表示部と、
をさらに備えた請求項１に記載の画像音声記録装置。
【請求項７】
前記被写体の合焦位置を決定する合焦位置決定部をさらに備え、
前記映像生成回路は前記被写体の合焦位置を示す映像を生成し、
前記表示部は前記被写体の動画像に前記被写体の合焦位置を示す映像を合成した第２画面を表示する請求項６に記載の画像音声記録装置。
【請求項８】
前記操作部は前記第１画面及び／又は前記第２画面への表示切替指示を入力し、
前記表示部は前記表示切替指示に応じて前記第１画面及び／又は前記第２画面を前記表示部に表示する請求項７に記載の画像音声記録装置。
【請求項９】
前記表示部は前記表示切替指示に応じて前記第１画面及び前記第２画面を含んだ親子画面を表示する請求項８に記載の画像音声記録装置。
【請求項１０】
前記集音方向の調整指示に応じて前記集音方向を示す映像を移動表示させる表示制御部をさらに備えた請求項６〜９のいずれかに記載の画像音声記録装置。
【請求項１１】
前記表示制御部は前記被写体の合焦位置の近傍に前記集音方向を示す映像が移動した場合に前記集音方向を示す映像を前記被写体の合焦位置に移動させる請求項１０に記載の画像音声記録装置。
【請求項１２】
前記集音制御部は前記集音方向が前記被写体の合焦位置に適合するよう前記集音方向調整部を制御する請求項１１に記載の画像音声記録装置。
【請求項１３】
被写体像を光電変換して被写体の動画像を得る撮像部、音声を集音する集音部、前記動画像と前記音声とを同期して記録する記録部、前記集音部の集音方向を調整する集音方向調整部を備えた画像音声記録装置の集音方向調整方法であって、
前記集音方向の調整指示を入力するステップと、
前記集音方向の調整指示に応じて前記集音方向を調整するよう前記集音方向調整部を制御するステップと、
を含む集音方向調整方法。
【発明の詳細な説明】
【技術分野】
【０００１】
本発明は画像音声記録装置及び集音方向調整方法に係り、特に画像音声記録装置の集音方向調整に関する。
【背景技術】
【０００２】
従来の画像音声を収録する装置において、マイクロホンの指向性を撮像と連動して調整する技術が存在する。例えば特許文献１によると、コンバージョンレンズの装着で変化した撮影倍率に基づいて、マイクロフォン特性調節手段により、マイク部の指向性・音量を調整して、画像・音声信号の記録を行う。
【０００３】
あるいは特許文献２によると、音声を集音するためのマイクロホンを備えたビデオカメラにおいて、撮影画像のアスペクト比を変換するアナモルフィックレンズの変倍特性を検出し、この検出に応じてマイクロホンの指向性を変更するためにＶＣＡを制御する。
【特許文献１】特開平６−１７８１８３号公報
【特許文献２】特開平６−６６４８号公報
【発明の開示】
【発明が解決しようとする課題】
【０００４】
これらの従来技術は、コンバージョンレンズの装着、アナモルフィックレンズの変倍特性に依存したマイク指向性の変更を行うものである。このため、例えば、風景を中心に撮影しながら、画像端の人物にマイク指向性を設定して集音したり、スポーツ選手を被写体として撮影しながら周囲の歓声を集音するといったことができない。本発明はこのような問題点に鑑みてなされたもので、撮像被写体とは独立別個の任意の集音対象に集音の指向性を設定可能にすることを目的とする。
【課題を解決するための手段】
【０００５】
上記課題を解決するため、本発明に係る画像音声記録装置は、被写体像を光電変換して被写体の動画像を得る撮像部と、音声を集音する集音部と、動画像と音声とを同期して記録する記録部と、集音部の集音方向を調整する集音方向調整部と、集音方向の調整指示を入力する操作部と、集音方向の調整指示に応じて集音方向を調整するよう集音方向調整部を制御する集音制御部と、を備えた。
【０００６】
この発明によると、操作部への集音方向の調整指示の入力によって集音部の集音方向を調整でき、撮像被写体とは独立別個の任意の集音対象に集音部の指向性を設定可能である。
【０００７】
この画像音声記録装置は、被写体の合焦位置を決定する合焦位置決定部と、集音方向を示す映像及び被写体の合焦位置を示す映像を生成する映像生成回路と、被写体の動画像に集音方向を示す映像を合成して表示する第１の表示部と、被写体の動画像に被写体の合焦位置を示す映像を合成して表示する第２の表示部と、をさらに備えてもよい。
【０００８】
こうすると、集音方向を第１の表示部で、被写体の合焦位置を第２の表示部で確認でき便利である。
【０００９】
集音方向の調整指示に応じて集音方向を示す映像を移動表示させるようにしてもよい。
【００１０】
被写体の合焦位置の近傍に集音方向を示す映像が移動した場合に集音方向を示す映像を被写体の合焦位置に移動させるようにしてもよい。
【００１１】
こうすると、合焦対象が集音対象と一致するときでも集音方向を被写体の合焦位置までいちいち移動させる必要がなく便利である。また、この移動に合わせ、集音部の集音方向が被写体の合焦位置に適合するよう調整することが好ましい。
【００１２】
この画像音声記録装置は、集音方向を示す映像を生成する映像生成回路と、被写体の動画像に集音方向を示す映像を合成した第１画面を表示する表示部と、をさらに備えていてもよい。
【００１３】
こうすると、集音方向を第１画面で確認でき便利である。
【００１４】
この画像音声記録装置は、被写体の合焦位置を決定する合焦位置決定部をさらに備え、映像生成回路は被写体の合焦位置を示す映像を生成し、表示部は被写体の動画像に被写体の合焦位置を示す映像を合成した第２画面を表示するようにしてもよい。
【００１５】
こうすると、被写体の合焦位置を第２画面で確認でき便利である。
【００１６】
操作部は第１画面及び／又は第２画面への表示切替指示を入力し、表示部は表示切替指示に応じて第１画面及び／又は第２画面を表示部に表示するようにしてもよい。
【００１７】
こうすると、必要に応じて第１画面及び／又は第２画面を表示させることができる。
【００１８】
表示部は表示切替指示に応じて第１画面及び第２画面を含んだ親子画面を表示するようにしてもよい。
【００１９】
こうすると、集音方向と被写体の合焦位置の両方を同時に確認できる。
【００２０】
この画像音声記録装置は、集音方向の調整指示に応じて集音方向を示す映像を移動表示させる表示制御部をさらに備えてもよい。
【００２１】
表示制御部は被写体の合焦位置の近傍に集音方向を示す映像が移動した場合に集音方向を示す映像を被写体の合焦位置に移動させるようにしてもよい。また、この移動に合わせ、集音部の集音方向が被写体の合焦位置に適合するよう調整することが好ましい。
【００２２】
被写体像を光電変換して被写体の動画像を得る撮像部、音声を集音する集音部、動画像と音声とを同期して記録する記録部、集音部の集音方向を調整する集音方向調整部を備えた画像音声記録装置の集音方向調整方法であって、集音方向の調整指示を入力するステップと、集音方向の調整指示に応じて集音方向を調整するよう集音方向調整部を制御するステップと、を含む集音方向調整方法も本発明に含まれる。
【発明の効果】
【００２３】
この発明によると、操作部への集音方向の調整指示の入力によって集音部の集音方向を調整でき、撮像被写体とは独立別個の任意の集音対象に集音部の指向性を設定可能である。
【発明を実施するための最良の形態】
【００２４】
以下、添付した図面を参照し本発明の好ましい実施の形態を説明する。
【００２５】
＜第１実施形態＞
図１は、本発明の好ましい実施形態に係る画像音声記録装置１の正面図である。画像音声記録装置１には、レンズ１０が組み込まれたレンズ鏡胴１１、マイクロホン１０５が設けられている。上面には、シャッターボタン１８が設けられ、側面には、図示しないメモリカードスロット等が設けられる。
【００２６】
図２は、画像音声記録装置１の背面図である。この装置の背面には、メニュー／実行ボタン２ａ、十字キー２ｂ、静止画モードスイッチ２ｃ、動画モードスイッチ２ｄ、ズームキー２Ｗ／２Ｔなどを含む操作部２、画像などの各種情報を表示する表示部１７、ファインダー５０が設けられ、上面には操作部２に含まれるシャッターボタン１８が配置されている。この画像音声記録装置１は、デジタルカメラやカメラ付携帯電話機として作成してもよい。
【００２７】
撮影者はファインダー５０又は表示部１７に映し出される映像を見て画角を調整することができる。ファインダー５０は、電子ビューファインダーで構成されるが、このファインダー５０を光学式ファインダーに置換する態様も可能である。
【００２８】
ズームキー２Ｗ／２Ｔは、ズームレンズの焦点距離の調節と電子ズーム機能による拡大／縮小の指示に兼用される操作部である。ズームキーのＴキー２Ｔが押されると、テレ方向（拡大方向）にズーム制御され、ズームキーのＷキー２Ｗが押されると、ワイド方向（縮小方向）にズーム制御される。
【００２９】
メニュー／実行ボタン２ａは、各モードの通常画面からメニュー画面へ遷移させる時、あるいは選択内容の確定、処理の実行指示の時などに使用される。
【００３０】
十字キー２ｂは、上下左右のいずれかの縁部を押圧することによって、対応する４方向（上下左右）の指示を入力できるように構成された多機能キーであり、メニュー画面における各種設定項目の選択や、設定内容の変更を指示する操作キーとして使用されるとともに、レンズ１１の焦点距離調整（テレ／ワイド操作）、電子ズームの倍率調整、ズーム中心の移動指示、再生コマの送り／戻しを指示する手段として用いられる。なお、十字キー２ｂは、一つの操作部材が上下左右に傾動するタイプでもよいし、上下左右の４つのキーが別々に設けられていてもよい。
【００３１】
表示部１７は、撮影時に画角確認用の電子ファインダーとして使用できるとともに、撮影した画像のプレビュー画やメモリカード等の外部記録装置から読み出した再生画像等を表示する表示手段である。また、十字キー２ｂを使用したメニューの選択や各メニューにおける各種項目の設定なども表示部１７の表示画面を用いて行われる。更に表示部１７には、撮影可能枚数（コマ数）や再生コマ番号の表示、マクロモード表示、記録画質（クオリティー）表示、画素数表示等の情報を表示することができる。
【００３２】
図３は、画像音声記録装置１の内部構成を示すブロック図である。レンズ１０を含む光学ユニット１００の後方にはＣＣＤ等の固体撮像素子１０２が配置されており、レンズ１０を通過した光は、固体撮像素子１０２に入射する。固体撮像素子１０２の受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、アナログフロントエンド回路（ＡＦＥ）１０３でデジタル信号に変換されて画像処理回路１０８に加えられる。
【００３３】
ズームモーター３０は、ズーム操作に連動して、ズームレンズをワイド側、あるいはテレ側に移動させ（例えば１０段階）、撮像レンズのズーミングを行う。オートフォーカス（ＡＦ）モーター３１は、被写体距離やズームレンズの変倍に応じてフォーカスレンズを移動させ、撮影条件が最適となるように撮像レンズの焦点調整を行う。
【００３４】
画像処理回路１０８は、ゲイン調整回路及びＡ／Ｄ変換器を含み、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＣＰＵ１１０からのコマンドに従って画像信号を処理する。
【００３５】
画像処理回路１０８で処理された画像データは、輝度信号（Ｙ信号）及び色差信号（Ｃｒ、Ｃｌ信号）に変換されるとともに、ガンマ補正等の所定の処理が施された後、ＤＭＡＣ（ＤＭＡ Ｃｏｎｔｒｏｌｌｅｒ）５２により、ＣＰＵ１１０を介さずＳＤＲＡＭ５４にＤＭＡ転送されて格納される。
【００３６】
撮影画像を表示部１７にモニタ出力する場合、ＳＤＲＡＭ５４からＹＣ信号が読み出され、表示制御部１６に送られる。表示制御部１６は、入力されたＹＣ信号を表示用の所定方式の信号（例えば、ＮＴＳＣ方式のカラー複合映像信号）に変換して表示部１７に出力する。
【００３７】
所定のフレームレートで処理された各フレームのＹＣ信号は、ＳＤＲＡＭ５４のＡ領域とＢ領域とに交互に書き込まれ、ＳＤＲＡＭ５４のＡ領域及びＢ領域のうち、ＹＣ信号が書き込まれている方の領域以外の領域から、書き込まれているＹＣ信号が読み出される。このようにしてＳＤＲＡＭ５４内のＹＣ信号が定期的に書き換えられ、そのＹＣ信号から生成される映像信号が表示部１７に供給されることにより、撮像中の映像がリアルタイムに表示部１７に表示される。ユーザは、表示部１７に表示される映像（スルー画像）によって撮影画角を確認できる。
【００３８】
なお、ＣＰＵ１１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１７に供給される。これにより、スルー画像や再生画像に文字やアイコン等の映像が合成された合成画像が表示される。
【００３９】
ＡＦ検出回路１３６は、画像信号中のＧ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４０】
ＡＦ検出回路１３６で求めた積算値のデータはＣＰＵ１１０に通知される。ＣＰＵ１１０は、ＡＦモーター３１を制御して撮影レンズを移動させながら、複数のＡＦ検出ポイントで焦点評価値（ＡＦ評価値）を演算し、評価値が極大となるレンズ位置を合焦位置として決定する。そして、求めた合焦位置に撮影レンズを移動させるようにＡＦモーター３１を制御する。この動作をＡＦ処理という。なお、ＡＦ評価値の演算はＧ信号を利用する態様に限らず、輝度信号（Ｙ信号）を利用してもよい。
【００４１】
静止画モードスイッチ２ｃによって静止画撮影モードが設定され、シャッターボタン１８が押下されると、静止画記録用の撮影動作がスタートする。シャッターボタン１８の押下に応動して取得された画像データは画像処理回路１０８において輝度／色差信号（Ｙ／Ｃ信号）に変換され、ガンマ補正等の所定の処理が施された後、ＳＤＲＡＭ５４に格納される。画像処理回路１０８は所定の処理としてホワイトバランス調整、シャープネス調整、赤目補正等の処理も適宜行ってもよい。
【００４２】
ＳＤＲＡＭ５４に格納されたＹ／Ｃ信号は、圧縮伸長処理回路１４４によって所定のフォーマットに従って圧縮された後、カードコネクタ８０を介し、メモリカード４にExifファイルなどの所定フォーマットの画像ファイルとして記録される。
【００４３】
動画モードスイッチ２ｄによって動画撮影モードが設定されたときには、シャッターボタン１８の全押し操作に連動して動画記録動作がスタートし、もう一度シャッターボタン１８を全押しすると動画記録動作が停止する。シャッターボタン１８の全押しを継続している期間、録画動作を行い、全押し解除によって録画を停止するようにしてもよい。動画データは、例えばモーションＪＰＥＧ（ＭＰＥＧ）形式によってメモリカード４に記録される。
【００４４】
なお、上記の動画又は静止画の記録動作に関わる処理ブロックをまとめて撮像系で表す。
【００４５】
マイクロホン１０５−１は前方向（Ｍｉｄ側）に指向性を持つマイクであり、マイクロホン１０５−２は左右（Ｓｉｄｅ側）に指向性を持つマイクである。このマイクロホン方式は一般にＭＳ（Ｍｉｄ−Ｓｉｄｅ）方式と称される。
【００４６】
電圧のコントロールで増幅率が変化する電圧制御回路（以下、ＶＣＡと称す）１０６−１とＶＣＡ１０６−２でＭｉｄ側とＳｉｄｅ側のバランスが調整される。
【００４７】
バランスが調整された音声信号はマトリクス回路１０７に送られ、音声信号のＬ（Ｌｅｆｔ）信号及びＲ（Ｒｉｇｈｔ）信号が作り出される。
【００４８】
Ｌ信号とＲ信号はそれぞれ音声記録処理回路１１１でデジタル音声信号に変換されて所定のファイル形式（ＭＰ３など）で動画と同期して記録される。
【００４９】
音声制御部１１２はＣＰＵ１１０からの制御信号に応じて指向性制御モーター１１３を駆動し、またＶＣＡ１０６−１，１０６−２を調整して、マイク１０５−１，１０５−２の指向特性を自在に変化させる。
【００５０】
なお、上記の音声記録動作に関わる処理ブロックをまとめて集音系で表す。
【００５１】
以下、図４のフローチャートに基づき、画像音声記録装置１の動画記録動作を説明する。この動作は、動画モードスイッチ２ｄが押下されたときに開始される。
【００５２】
まず、シャッターボタン１８が全押しされると（Ｓ１で“Ｙ”）、撮像系による動画撮影と、集音系による集音が開始する（Ｓ２）。動画撮影と集音は同期して行われる。
【００５３】
ここで、シャッターボタン１８が半押しされると（Ｓ３で“Ｙ”）、ＡＦ処理が開始される（Ｓ４）。ＯＳＤ回路は、被写体の合焦位置を示すオートフォーカスフレーム（以下ＡＦＲで略す）の映像信号を生成してスルー画像に合成し表示部１７に供給する。
【００５４】
図２はＡＦＲがスルー画像とともに表示部１７に表示されている状態を示している。なお、半押し状態が保持される限りＡＦ処理が続行し、半押し状態が解除されるとＡＦ処理が終了するものとする。
【００５５】
メニュー／実行ボタン２ａの押下など、画面表示の切り替え指示が操作部２から入力されると（Ｓ５で“Ｙ”）、ＣＰＵ１１０は、集音方向を示す集音方向調整画面をメイン画面、ＡＦＲの合成されたスルー画像をサブ画面とした親子画面表示に表示部１７の表示画面を切り替える（Ｓ６）。
【００５６】
図５は、かかる親子画面表示の一例を示している。表示部１７には、集音方向調整画面１９ａがメイン画面、ＡＦＲの合成されたスルー画像である合焦位置調整画面１９ｂがサブ画面として、両者が親子画面（ピクチャーインピクチャー）方式で表示される。集音方向調整画面１９ａでは、マイク１０５−１、１０５−２による集音方向を示す集音カーソルＣＳがスルー画像に合成されて表示されている。
【００５７】
なお、親子画面表示の代わりに、集音方向調整画面１９ａにＡＦＲを合成した画面、即ち集音カーソルＣＳとオートフォーカスフレームＡＦＲがスルー画像と合成された画面を表示してもよい。この場合、集音カーソルＣＳとオートフォーカスフレームＡＦＲを区別できるように形状や色などの視覚的な差異を設けることが好ましい。
【００５８】
ＣＰＵ１１０は、十字キー２ｂの上下左右キーが押下されると（Ｓ７で“Ｙ”）、これに応じて集音カーソルＣＳを集音方向調整画面１９ａ内で上下左右に移動表示する。さらに、ＣＰＵ１１０は、十字キー２ｂの上下左右キーの押下に応じ、マイク１０５−１、１０５−２の集音方向を上下左右に段階的にあるいは連続的に変化させる制御信号を音声制御部１１２に送る。音声制御部１１２は、この制御信号を受け付けると、指向性制御モーター１１３及びＶＣＡ１０６−１、１０６−２を制御してマイク１０５−１、１０５−２の集音方向を調整する（Ｓ８）。
【００５９】
再び画面表示の切り替え指示が操作部２から入力されると（Ｓ９で“Ｙ”）、ＣＰＵ１１０は、表示部１７の表示画面をＡＦＲの合成されたスルー画像に切り替える（Ｓ１０）。
【００６０】
再びシャッターボタン１８が全押しされると（Ｓ１１で“Ｙ”）、撮影と集音を停止し、動画と音声がメモリカード４に記録される（Ｓ１２）。シャッターボタン１８が全押しされない限りＳ３〜Ｓ１１の処理が繰り返され、動画撮影と集音が継続する。
【００６１】
以上説明した通り、十字キー２ｂの押下に応じた集音カーソルＣＳの移動表示と集音系の集音方向の調整が連動する。ユーザは、集音方向調整画面１９ａの集音カーソルＣＳの移動方向を見ながら、集音方向を自在に調整できる。この集音方向調整は、例えば、合焦したい被写体が画像音声記録装置１の正面に位置するが、集音したい対象が画像音声記録装置１の側面に位置するなど、合焦したい被写体と集音したい対象とが別個である場合に特に有用である。
【００６２】
＜第２実施形態＞
集音方向調整画面１９ａと合焦位置調整画面１９ｂとを親子画面でなく並列表示できるようにしてもよい。
【００６３】
例えば、図６に示すように、表示部１７として、集音方向調整画面表示用のモニタ１７ａとＡＦＲの合成されたスルー画像表示用のモニタ１７ｂを画像音声記録装置１の背面に設ける。そして、図７に示すように、モニタ１７ａに集音方向調整画面１９ａ、モニタ１７ｂに合焦位置調整画面１９ｂを表示させる。
【００６４】
この場合、動画記録動作は次のようになる。
【００６５】
図８は第２実施形態に係る動画記録動作の流れを示すフローチャートである。
【００６６】
動画モードスイッチ２ｄが押下されると、モニタ１７ａに集音方向調整画面１９ａ、モニタ１７ｂに合焦位置調整画面１９ｂを表示させる（Ｓ２１）。
【００６７】
ここで、シャッターボタン１８が全押しされると（Ｓ２２で“Ｙ”）、撮像系による動画撮影と、集音系による集音が開始する（Ｓ２３）。
【００６８】
シャッターボタン１８が半押しされると（Ｓ２４で“Ｙ”）、ＡＦ処理が開始される（Ｓ２５）。
【００６９】
ＣＰＵ１１０は、十字キー２ｂの上下左右キーが押下されると（Ｓ２６で“Ｙ”）、これに応じて集音カーソルＣＳを集音方向調整画面１９ａ内で上下左右に移動表示する。また、ＣＰＵ１１０は、十字キー２ｂの上下左右キーの押下に応じ、マイク１０５−１、１０５−２の集音方向を上下左右に段階的にあるいは連続的に変化させる制御信号を音声制御部１１２に送る。音声制御部１１２は、この制御信号を受け付けると、指向性制御モーター１１３及びＶＣＡ１０６−１、１０６−２を制御してマイク１０５−１、１０５−２の集音方向を調整する（Ｓ２７）。
【００７０】
再びシャッターボタン１８が全押しされると（Ｓ２８で“Ｙ”）、撮影と集音を停止し、動画と音声がメモリカード４に記録される（Ｓ２９）。
【００７１】
本実施形態の画像音声記録装置１では、集音方向調整画面１９ａと合焦位置調整画面１９ｂの表示切り替えを行う必要がなく、現在の合焦状態と集音方向を同時に確認でき、シャッターボタン１８の半押し継続によるＡＦ処理と十字キー２ｂの押下による集音方向変更を同時に行うこともでき、効率的である。
【００７２】
＜第３実施形態＞
第１ないし第２実施形態においては、集音対象と合焦対象とが別個であることを想定しているが、場合によっては集音対象と合焦対象とが一致することがある。この場合、合焦位置の調整と集音方向の調整を別々にやるのは面倒である。
【００７３】
このため、集音カーソルＣＳの表示位置がオートフォーカスフレームＡＦＲの近傍に移動した場合、集音方向が合焦位置と適合するように調整すると好都合である。
【００７４】
図９はかかる処理を実行するための動作である自動調整サブルーチンの流れを示す。
【００７５】
Ｓ１０１では、集音カーソルＣＳの位置がオートフォーカスフレームＡＦＲの近傍に移動したか否かを判断する。オートフォーカスフレームＡＦＲの近傍とは、例えばオートフォーカスフレームＡＦＲの中心座標から所定の矩形又は円形領域内、あるいはオートフォーカスフレームＡＦＲの外枠の描画位置などである。集音カーソルＣＳの位置がオートフォーカスフレームＡＦＲの近傍に移動した場合はＳ１０２に移行する。
【００７６】
Ｓ１０２では、ＣＰＵ１１０は、集音方向を合焦位置に調整する信号を音声制御部１１２に出力する。音声制御部１１０は、この信号に応じてマイク１０５−１、１０５−２とＶＣＡ１０６−１、１０６−２を制御し、集音方向が合焦位置に合致するよう調整する。さらに、ＣＰＵ１１０は、強制的に集音カーソルＣＳの表示位置をオートフォーカスフレームＡＦＲの表示位置に設定する。これは例えば、集音カーソルＣＳの中心座標をオートフォーカスフレームＡＦＲの中心座標と一致させることである。こうすることで集音方向が合焦位置に自動調整されたことが視覚的に認識できる。
【００７７】
このサブルーチンは、上述の第１ないし第２実施形態に係る動画記録動作に含めることができる。
【００７８】
図１０は第１実施形態に係る動画記録動作に自動調整サブルーチンを追加したフローチャートである。このフローでは、十字キー２ｂの操作があった場合（Ｓ７で“Ｙ”）、カーソルを移動表示させるが（Ｓ８）、この直後自動調整サブルーチン（Ｓ１００）に移行する。自動調整サブルーチンでは、集音カーソルＣＳの位置がオートフォーカスフレームＡＦＲの近傍に移動すると（Ｓ１０１で“Ｙ”）、集音方向を合焦位置に調整するとともに、強制的に集音カーソルＣＳの表示位置をオートフォーカスフレームＡＦＲの表示位置に設定する（Ｓ１０２）。
【００７９】
なお、集音カーソルＣＳの表示位置がオートフォーカスフレームＡＦＲの表示位置に設定された後に再び十字キー２ｂの操作があった場合、集音カーソルＣＳの位置はオートフォーカスフレームＡＦＲの位置とは無関係に移動させることができ、強制的に設定された集音カーソルＣＳの位置がオートフォーカスフレームＡＦＲの位置から移動不能になるのではない。
【００８０】
図１１は第２実施形態に係る動画記録動作に自動調整サブルーチンを追加したフローチャートである。このフローでは、十字キー２ｂの操作があった場合（Ｓ２６で“Ｙ”）、カーソルを移動表示させるが（Ｓ２７）、この直後自動調整サブルーチン（Ｓ１００）に移行する。自動調整サブルーチンでは、集音カーソルＣＳの位置がオートフォーカスフレームＡＦＲの近傍に移動すると（Ｓ１０１で“Ｙ”）、集音方向を合焦位置に調整するとともに、強制的に集音カーソルＣＳの表示位置をオートフォーカスフレームＡＦＲの表示位置に設定する（Ｓ１０２）。
【００８１】
図１２及び１３は、自動調整サブルーチンが実行された場合の集音カーソルＣＳの表示の様子を示す。図１２に示すように、モニタ１７ａに集音方向調整画面１９ａ、モニタ１７ｂに合焦位置調整画面１９ｂを表示させ、集音方向調整画面１９ａには、集音カーソルＣＳとともにオートフォーカスフレームＡＦＲも合成表示しておく。集音カーソルＣＳとオートフォーカスフレームＡＦＲを区別できるように形状や色などの視覚的な差異を設けることが好ましい。
【００８２】
図１２に示すように、集音カーソルＣＳがオートフォーカスフレームＡＦＲの近傍に移動すると、集音カーソルＣＳの位置がオートフォーカスフレームＡＦＲの位置に設定される。図１３は集音カーソルＣＳの位置がオートフォーカスフレームＡＦＲの位置に設定された状態を示している。
【００８３】
なお、図４のフローチャートに従った動作又は図１０のフローチャートに従った動作のいずれか一方を操作部２から選択させて動作させるようにしてもよい。同様に、図８のフローチャートに従った動作又は図１１のフローチャートに従った動作のいずれか一方を操作部２から選択させて動作させるようにしてもよい。
【００８４】
以上説明した通り、集音カーソルＣＳの位置がオートフォーカスフレームＡＦＲの近くに移動すると、集音方向を合焦位置に調整する。このため、合焦対象が集音対象と一致するときでも集音カーソルＣＳをいちいち合焦位置まで移動させる必要がなく便利である。
【００８５】
なお、上述の画像音声記録動作、カーソル位置設定サブルーチンの動作ステップを含む方法及び該方法をＣＰＵ１１０に実行させるプログラムも本発明に含まれる。
【図面の簡単な説明】
【００８６】
【図１】第１実施形態に係る画像音声記録装置の正面図
【図２】第１実施形態に係る画像音声記録装置の背面図
【図３】第１実施形態に係る画像音声記録装置のブロック図
【図４】第１実施形態に係る動画記録動作の流れを示すフローチャート
【図５】集音方向調整画面をメイン画面、合焦位置調整画像をサブ画面とした親子画面の図
【図６】第２実施形態に係る画像音声記録装置の背面図
【図７】第２実施形態に係る画像音声記録装置に表示された集音方向調整画面及び合焦位置調整画面の図
【図８】第２実施形態に係る動画記録動作の流れを示すフローチャート
【図９】自動調整サブルーチンの流れを示すフローチャート
【図１０】第１実施形態に係る動画記録動作に自動調整サブルーチンを追加した場合のフローチャート
【図１１】第２実施形態に係る動画記録動作に自動調整サブルーチンを追加した場合のフローチャート
【図１２】集音カーソルＣＳがオートフォーカスフレームＡＦＲの近傍に移動した状態を示す図
【図１３】集音カーソルＣＳの位置がオートフォーカスフレームＡＦＲの位置に設定された状態を示す図
【符号の説明】
【００８７】
２：操作部、１７：表示部、１１０：ＣＰＵ、１０５：マイク、１０６：ＶＣＡ、１１２：音声制御部、１１３：指向性制御モーター、１３６：ＡＦ検出回路
【図１】
2006287735.tif 000003
【図２】
2006287735.tif 000004
【図３】
2006287735.tif 000005
【図４】
2006287735.tif 000006
【図５】
2006287735.tif 000007
【図６】
2006287735.tif 000008
【図７】
2006287735.tif 000009
【図８】
2006287735.tif 000010
【図９】
2006287735.tif 000011
【図１０】
2006287735.tif 000012
【図１１】
2006287735.tif 000013
【図１２】
2006287735.tif 000014
【図１３】
2006287735.tif 000015